(57)【要約】      （修正有）【課題】単一部品として扱うことができ、キャビネット内への取付け、アダプタの固定、及び２本以上の接続のために別部品が不要であり、スペースを大幅に低減でき、１又は複数のアダプタを確実に固定でき、かつ工具なしで容易にアダプタを着脱できる光ファイバの接続固定具を提供する。【解決手段】長方形の底板１２と底板の幅方向両端に一体的に成形され底板に直交して延びる１対の側板１４とからなる。底板１２は、キャビネット内へ着脱可能に構成されており、１対の側板１４は、幅方向に対称形であり、その間にアダプタの鍔部２を把持する溝１５を有する。（Ａ）はアダプタ取付時において、接続固定具の傾斜面１７に沿ってアダプタ１の鍔部２を挿入している状態、（Ｂ）は垂直面１６と傾斜面１７の間にアダプタ１の鍔部２が嵌った状態、（Ｃ）はアダプタ１の長さ方向両端部に設けられた差し込み口に光ファイバコネクタ４を挿入する状態を示している。【選択図】図３
0003144054.tif 000002
【実用新案登録請求の範囲】
【請求項１】
アダプタをキャビネット内へ取り付けるための光ファイバの接続固定具であって、
前記アダプタは、幅方向に張り出した１対の鍔部と、長さ方向両端部に設けられた差し込み口を有し、各差し込み口にそれぞれ光ファイバコネクタを挿入して光ファイバコネクタに固定された１対の光ファイバを光学的に連結するようになっており、
光ファイバの接続固定具は、長方形の底板と該底板の幅方向両端に一体的に成形され底板に直交して延びる１対の側板とからなり、
前記底板は、キャビネット内へ着脱可能に構成されており、
前記１対の側板は、幅方向に対称形であり、その間にアダプタの鍔部を把持する溝をそれぞれ有する、ことを特徴とする光ファイバの接続固定具。
【請求項２】
前記アダプタの鍔部は、幅方向断面が前記底板に直交する方向に細長い長方形であり、
前記側板の溝は、前記鍔部の短辺をわずかな隙間を隔てて挟持する垂直面と傾斜面からなり、
前記垂直面は、前記底板の表面からこれに直交して延び、前記表面から前記長方形の長辺を超える位置に傾斜面側に張り出した突起部を有し、
前記傾斜面は、前記底板の表面近傍から傾斜面側に傾斜して延び、前記突起部と対向する位置において突起部との間にアダプタの鍔部が通過可能な間隔を有する、ことを特徴とする請求項１に記載の光ファイバの接続固定具。
【請求項３】
前記側板の上部に側板の下端部を挟持する張り出し部を有し、
前記側板の下端部に該張り出し部と嵌合する凹溝を有する、ことを特徴とする請求項２に記載の光ファイバの接続固定具。
【考案の詳細な説明】
【技術分野】
【０００１】
本考案は、光ファイバ同士を互いに接続する光ファイバの接続固定具に関する。
【背景技術】
【０００２】
局側の光ファイバと宅内側の光ファイバとを相互接続するために、光ファイバ用のキャビネットが従来から用いられている。このキャビネットの内部には、光ファイバ同士を互いに接続する光ファイバコネクタや、光ファイバを分岐させるスプリッタが取り付けられている。
【０００３】
光ファイバコネクタは、通常、４心用または８心用のコネクタであり、両側にそれぞれ４または８の差込み口を有する箱型形状であり、それぞれの差込み口にファイバを接続した光ファイバコネクタを差し込んで光ファイバ同士を相互接続するようになっている。
【０００４】
しかし、かかる４心用または８心用のコネクタは、大型であり、接続箇所が少ない（例えば１〜３箇所）場合や不足する場合に、コネクタを追加すると、キャビネットも大型化する必要があった。
そこで、単心の光ファイバを単独に接続することができる光ファイバの接続固定構造が特許文献１に提案されている。
【０００５】
特許文献１は、各種の接続形式をとることができ、しかも接続固定部さらには光キャビネット自体の小型化を図ることができることを目的とする。
【０００６】
そのため、この構造は、図５に示すように、平板状の基板３０の一面側には縦長溝２５が形成され、該縦長溝２５の縦方向の両側壁の中間位置に光ファイバ５のメカニカルスプライス接続用のＵ字形メカニカルスプライス・ホルダが配置されるとともに、該Ｕ字形メカニカルスプライス・ホルダの両外側にＳＣコネクタ接続用の一対のコネクタ・ホルダ２２が配置され、該一対のコネクタ・ホルダ２２の相対向する内壁には前記ＳＣコネクタ（光ファイバコネクタ）４のアダプタ１を保持するためのアダプタ・プレート２１を受容するコネクタ・ホルダ溝２３が備えられ、該アダプタ・プレート２１は前記コネクタ・ホルダ溝２３に受容された状態で二個の前記光ファイバコネクタ４のアダプタ１を差し込むための二個のＳＣコネクタ・アダプタ差し込み口２７を備えたものである。
【０００７】
【特許文献１】特開平１０−２６８１６１号公報、「光ファイバの接続固定構造」
【考案の開示】
【考案が解決しようとする課題】
【０００８】
特許文献１の構造により、一対のコネクタ・ホルダ２２の所要スペースで、２本の光ファイバ５をＳＣコネクタ（光ファイバコネクタ）４で相互に接続固定することができる。
【０００９】
しかし、上述した従来の接続固定具には、以下の問題点があった。
（１）  一対のコネクタ・ホルダ２２を固定する平板状の基板３０が不可欠であり、常に基板に相当する比較的広いスペースを必要とする。
（２）  ＳＣコネクタ（光ファイバコネクタ）４のアダプタ６を基板３０上の一対のコネクタ・ホルダ２２に固定するために、アダプタ・プレート２１が必要であり、部品数が多い。
（３）  １本又は２本の光ファイバ５の接続に限られ、３本以上には適用できない。
【００１０】
本考案はかかる問題点を解決するために創案されたものである。すなわち、本考案の目的は、単一部品として扱うことができ、キャビネット内への取付け、アダプタの固定、及び２本以上の接続のために別部品（例えば基板、アダプタ・プレート）が不要であり、スペースを大幅に低減でき、１又は複数のアダプタを確実に固定でき、かつ工具なしで容易にアダプタを着脱できる光ファイバの接続固定具を提供することにある。
【課題を解決するための手段】
【００１１】
本考案によれば、アダプタをキャビネット内へ取り付けるための光ファイバの接続固定具であって、
前記アダプタは、幅方向に張り出した１対の鍔部と、長さ方向両端部に設けられた差し込み口を有し、各差し込み口にそれぞれ光ファイバコネクタを挿入して光ファイバコネクタに固定された１対の光ファイバを光学的に連結するようになっており、
光ファイバの接続固定具は、長方形の底板と該底板の幅方向両端に一体的に成形され底板に直交して延びる１対の側板とからなり、
前記底板は、キャビネット内へ着脱可能に構成されており、
前記１対の側板は、幅方向に対称形であり、その間にアダプタの鍔部を把持する溝をそれぞれ有する、ことを特徴とする光ファイバの接続固定具が提供される。
【００１２】
本考案の好ましい実施形態によれば、前記アダプタの鍔部は、幅方向断面が前記底板に直交する方向に細長い長方形であり、
前記側板の溝は、前記鍔部の短辺をわずかな隙間を隔てて挟持する垂直面と傾斜面からなり、
前記垂直面は、前記底板の表面からこれに直交して延び、前記表面から前記長方形の長辺を超える位置に傾斜面側に張り出した突起部を有し、
前記傾斜面は、前記底板の表面近傍から傾斜面側に傾斜して延び、前記突起部と対向する位置において突起部との間にアダプタの鍔部が通過可能な間隔を有する。
【００１３】
さらに、前記側板の上部に側板の下端部を挟持する張り出し部を有し、
前記側板の下端部に該張り出し部と嵌合する凹溝を有する、ことが好ましい。
【考案の効果】
【００１４】
上記本考案の構成によれば、長方形の底板とこれと一体的に成形された１対の側板とからなるので、単一部品として扱うことができる。
また、底板はキャビネット内へ着脱可能に構成されているので、別部品（例えば基板）なしにキャビネット内に取り付けることができる。
さらに、幅方向に対称形な１対の側板が、その間にアダプタの鍔部を把持する溝をそれぞれ有するので、この溝にアダプタの鍔部を嵌めることで、別部品（例えばアダプタ・プレート）なしに、アダプタをキャビネット内へ取り付けることができる。
また、前記１対の側板は、その間にアダプタの鍔部を把持するので、底板を１対の側板を連結できる小型にでき、取付スペースを大幅に低減できる。
【００１５】
また、好ましい実施形態によれば、側板の溝が垂直面と傾斜面からなり、垂直面は、底板表面から直交して延び、アダプタの鍔部の長方形の長辺を超える位置に傾斜面側に張り出した突起部を有するので、垂直面と傾斜面の間に嵌ったアダプタの鍔部の抜けを突起部で防止することができる。
また、側板の傾斜面は、前記底板の表面近傍から傾斜面側に傾斜して延び、前記突起部と対向する位置において突起部との間にアダプタの鍔部が通過可能な間隔を有するので、前記突起部があるにもかかわらず、垂直面と傾斜面の間にアダプタの鍔部を斜めに挿入して嵌めることができる。
従って、この構成により、別部品なしに、アダプタを確実に固定でき、かつ工具なしで容易にアダプタを着脱できる。
【００１６】
さらに、側板の上部に側板の下端部を挟持する張り出し部を有し、側板の下端部に該張り出し部と嵌合する凹溝を有する構成により、底板をキャビネット内に取り付けた本考案の接続固定具の上に、別の接続固定具を別部品なしで、２段以上に段積みすることができる。
従って、この構成により、２本以上の接続のために別部品が不要であり、同一の接続固定具を用いて、複数のアダプタを確実に固定でき、かつ工具なしで容易にアダプタを着脱できる。
【考案を実施するための最良の形態】
【００１７】
以下、本考案の好ましい実施形態を図面を参照して説明する。なお各図において、共通する部分には同一の符号を付し、重複した説明は省略する。
【００１８】
図１は、本考案の第１実施形態の接続固定具を用いた光ファイバの接続状態を示す図である。この図において、（Ａ）は平面図、（Ｂ）は（Ａ）のＢ−Ｂ線における断面図、（Ｃ）は（Ａ）のＣ−Ｃ線における断面図である。
【００１９】
本考案の接続固定具１０は、アダプタ１をキャビネット（図示せず）内へ取り付けるための光ファイバの接続固定具である。
アダプタ１は、幅方向に張り出した１対の鍔部２と、長さ方向両端部に設けられた差し込み口３を有し、各差し込み口３にそれぞれ光ファイバコネクタ４を挿入して光ファイバコネクタに固定された１対の光ファイバ５を光学的に連結するようになっている。
【００２０】
図２は、本考案の接続固定具の第１実施形態を示す図である。この図において、（Ａ）は平面図、（Ｂ）は（Ａ）のＢ−Ｂ線における断面図、（Ｃ）は（Ａ）のＣ−Ｃ線における断面図である。
【００２１】
図２において、本考案の接続固定具１０は、長方形の底板１２と、底板１２の幅方向両端（図２Ａで上下端）に一体的に成形され底板１２に直交して延びる１対の側板１４とからなる。
この接続固定具１０は、例えば硬質塩化ビニールからなる一体部品である。
【００２２】
底板１２は、その上にアダプタ１が張り出すことなく載る大きさ（例えば幅２８ｍｍ、長さ２８ｍｍ）を有する平板（例えば厚さ３ｍｍ）であり、その中央に皿ミゾ付きの取付穴１３（例えば３ｍｍ）を有し、キャビネット内へネジ等で着脱可能に構成されている。取付穴１３は、１つに限定されず、２つ以上でもよい。
また、取付穴１３を用いずに、ベルクロ（マジックテープ(登録商標））、両面テープ、接着剤等で固定してもよい。
【００２３】
１対の側板１４は、幅方向（図２Ａで上下方向）に対称形であり、その間にアダプタ１の鍔部２を把持する溝１５をそれぞれ有する。
【００２４】
またこの例で、アダプタ１の鍔部２は、図１Ｂに示すように、幅方向断面が底板１２に直交する方向に細長い長方形（この例で３ｍｍ×８ｍｍ）である。
【００２５】
図２Ｂに示すように、側板の溝１５は、アダプタ１の鍔部２の短辺（この例で３ｍｍ）をわずかな隙間（例えば、０．１〜０．２ｍｍ）を隔てて挟持する垂直面１６と傾斜面１７からなる。
【００２６】
垂直面１６は、底板１２の表面１２ａからこれに直交して延びる。また垂直面１６は、底板１２の表面１２ａから鍔部２の長辺（この例で８ｍｍ）を超える位置に傾斜面側に張り出した突起部１６ａを有する。突起部１６ａは、この例では下面が表面１２ａに平行な三角形であるが、本考案はこれに限定されず、その他の形状であってもよい。
【００２７】
傾斜面１７は、底板１２の表面１２ａから鍔部２の長辺の半分以下（この例では３ｍｍ）までは底板１２の表面１２ａからこれに直交して延び、この位置から傾斜面側に傾斜して延びている。この傾斜面１７の角度は、垂直面１６の突起部１６ａと対向する位置において突起部１６ａとの間にアダプタの鍔部２の短辺（この例で３ｍｍ）が通過可能な間隔を有するように設定されている。
【００２８】
図３は、図２の接続固定具へのアダプタの着脱を示す説明図である。この図において、（Ａ）はアダプタ取付時において、接続固定具１０の傾斜面１７に沿ってアダプタ１の鍔部２を挿入している状態、（Ｂ）は垂直面１６と傾斜面１７の間にアダプタ１の鍔部２が嵌った状態、（Ｃ）はアダプタ１の長さ方向両端部に設けられた差し込み口に光ファイバコネクタ４を挿入する状態を示している。
なお、アダプタを取り外す場合は、逆の工程となる。
【００２９】
上述した本考案の構成によれば、長方形の底板１２とこれと一体的に成形された１対の側板１４とからなるので、単一部品として扱うことができる。
また、底板１２はキャビネット内へネジ、ベルクロ（マジックテープ(登録商標））、両面テープ、接着剤等で着脱可能に構成されているので、別部品（例えば基板）なしにキャビネット内に取り付けることができる。
さらに、幅方向に対称形な１対の側板１４が、その間にアダプタ１の鍔部２を把持する溝１５をそれぞれ有するので、この溝１５にアダプタの鍔部２を嵌めることで、別部品（例えばアダプタ・プレート）なしに、アダプタ１をキャビネット内へ取り付けることができる。
また、１対の側板１４は、その間にアダプタの鍔部２を把持するので、底板１２を１対の側板を連結できる大きさの小型にでき、取付スペースを大幅に低減できる。
【００３０】
また、上述した第１実施形態によれば、図３Ｂに示すように、垂直面１６と傾斜面１７の間に嵌ったアダプタの鍔部２の抜けを突起部１６ａで防止することができる。
また、側板１４の傾斜面１７は、底板の表面１２ａの近傍（この例では３ｍｍの高さ）から傾斜面側に傾斜して延び、突起部１６ａと対向する位置において突起部１６ａとの間にアダプタ１の鍔部２が通過可能な間隔を有するので、図３Ａに示すように、突起部１６ａがあるにもかかわらず、垂直面１６と傾斜面１７の間にアダプタ１の鍔部２を斜めに挿入して嵌めることができる。
【００３１】
また、アダプタ１を取り外す場合は、逆の工程となる。すなわち、図３（Ｂ）の状態において、アダプタ１を捻って底板の表面１２ａに対して傾斜させ、図３Ａに示すように、鍔部２を突起部１６ａから外し、鍔部２を垂直面１６と傾斜面１７の間から傾斜面１７に沿って図で上向きに移動して、アダプタ１の鍔部２を溝１５から外すことができる。
【００３２】
従って、この構成により、別部品なしに、アダプタ１を確実に固定でき、かつ工具なしで容易にアダプタを着脱できる。
【００３３】
図４は、本考案の接続固定具の第２実施形態を示す図である。この図において、（Ａ）は平面図、（Ｂ）は（Ａ）のＢ−Ｂ線における断面図、（Ｃ）は（Ａ）のＣ−Ｃ線における断面図である。
【００３４】
この例において、本考案の接続固定具１０は、側板１４の上部に側板の下端部を挟持する張り出し部１８を有する。この張り出し部１８は、この図に示すように、側板上部の長さ方向（図４Ａで左右方向）の全体にわたり、側板１４の上端縁に重なるように上方に突き出して、側板１４と同一材料で一体的に構成されている。また、張り出し部１８の内面には、図４Ｃに示すように内側に円弧状の凸部１８ａが、側板１４の上端縁に沿って形成されている。
なお、張り出し部１８は、側板上部の一部（例えば４箇所）に設けてもよい。また、凸部１８ａの形状は、円弧以外に三角形、矩形、その他であってもよい。
【００３５】
さらに図４Ｃに示すように、側板１４の下端部両側に、張り出し部１８の凸部１８ａと嵌合する凹溝１４ａが設けられている。
その他の構成は、第１実施形態と同様である。
【００３６】
上述した構成により、底板１２をキャビネット内に取り付けた本考案の接続固定具１０の上に、別の接続固定具を別部品なしで、２段以上に段積みすることができる。
従って、この構成により、２本以上の接続のために別部品が不要であり、同一の接続固定具１０を用いて、複数のアダプタ１を確実に固定でき、かつ工具なしで容易にアダプタを着脱できる。
【００３７】
なお、本考案は、上述した実施形態に限定されず、本考案の要旨を逸脱しない範囲で種々に変更することができることは勿論である。
【図面の簡単な説明】
【００３８】
【図１】本考案の第１実施形態の接続固定具を用いた光ファイバの接続状態を示す図である。
【図２】本考案の接続固定具の第１実施形態を示す図である。
【図３】図２の接続固定具へのアダプタの着脱を示す説明図である。
【図４】本考案の接続固定具の第２実施形態を示す図である。
【図５】特許文献１の接続固定構造を示す説明図である。
【符号の説明】
【００３９】
１  アダプタ、２  鍔部、３  差し込み口、
４  光ファイバコネクタ、５  光ファイバ、
１０  接続固定具、１２  底板、１２ａ  表面、
１３  取付穴、１４  側板、１４ａ  凹溝、
１５  溝、１６  垂直面、１６ａ  突起部、
１７  傾斜面、１８  張り出し部、１８ａ  凸部
【図１】
0003144054.tif 000003
【図２】
0003144054.tif 000004
【図３】
0003144054.tif 000005
【図４】
0003144054.tif 000006
【図５】
0003144054.tif 000007